(57)【特許請求の範囲】
【請求項１】
使い捨ておむつの内表面上に配されて、使い捨ておむつと共に着用される補助吸収具であって、
液透過性の表面シート、液不透過性の防漏シート及び両シート間に介在された液保持性の吸収体を具備し、実質的に縦長であり、
長手方向の前後端部の少なくとも一方又は長手方向の両側部に、前記防漏シートの端縁よりも外方に延出する液透過性の延出部を有しており、
前記防漏シートの前記吸収体とは反対側の面側に、液透過性の外層シートが配されており、該外層シートが、前記防漏シートの端縁よりも外方に延出しており、延出した該外層シートにより前記液透過性の延出部が形成されている補助吸収具。
【請求項２】
使い捨ておむつの内表面上に配されて、使い捨ておむつと共に着用される補助吸収具であって、
液透過性の表面シート、液不透過性の防漏シート及び両シート間に介在された液保持性の吸収体を具備し、実質的に縦長であり、
長手方向の両側部に、前記防漏シートの端縁よりも外方に延出する液透過性の延出部を有しており、
長手方向の両側部に、それぞれ、立体ガード形成用のシート材が配されて立体ガードが形成されており、前記両立体ガード形成用のシート材は、それぞれ外側の側端縁が前記防漏シートの左右の側端縁よりも外方に位置するように延出しており、延出した前記両立体ガード形成用のシート材により前記液透過性の延出部が形成されており、
前記吸収体の周縁部より外方に、前記表面シートと前記防漏シートとが重なり合わされた部分が存在し、前記立体ガード形成用のシート材は、当該重なり合わされた部分における前記表面シート上に固定され、該立体ガード形成用のシート材における、該表面シート上に固定された部分より幅方向内方に位置する部分が、該表面シートから離間して前記立体ガードを形成するようになされており、
前記立体ガード形成用のシート材における、前記表面シートに固定された部分より幅方向外方に位置する部分は、前記液透過性の延出部を形成する一方、立体ガードを形成しないようになされている補助吸収具。
【請求項３】
前記液透過性の延出部は、坪量１０〜３０ｇ／ｍ2の不織布からなる請求項１又は２記載の補助吸収具。
【発明の詳細な説明】
【０００１】
【発明の属する技術分野】
本発明は、使い捨ておむつの内表面上に配され、使い捨ておむつと共に着用される補助吸収具に関する。
【０００２】
【従来の技術及び発明が解決しようとする課題】
従来、介護の現場等においては、使い捨ておむつの内表面上に補助吸収具を配しておむつを装着し、排尿量が少量の場合には、補助吸収具のみを交換して、使い捨ておむつの節約を図る場合がある。
しかし、補助吸収具から使い捨ておむつ上に尿が漏れ出した場合であっても、補助吸収具の交換のみで対処する場合があり、斯かる場合には、おむつ着用者の肌におむつの濡れた部分が接触して不快感を与える。
斯かる不都合は、使い捨ておむつ自体を交換すれば解消されるが、それでは、おむつの交換を頻繁に行う必要が生じるため、排尿処理に伴う介護者等の労力的な負担や、被介護者等の費用的な負担が増大する。
【０００３】
従って、本発明の目的は、着用者の不快感を防止しつつ、使い捨ておむつの交換頻度の低減することのできる補助吸収具を提供することにある。
【０００４】
【課題を解決するための手段】
本発明は、使い捨ておむつの内表面上に配されて、使い捨ておむつと共に着用される補助吸収具であって、液透過性の表面シート、液不透過性の防漏シート及び両シート間に介在された液保持性の吸収体を具備し、実質的に縦長であり、長手方向の前後端部の少なくとも一方又は長手方向の両側部に、前記防漏シートの端縁よりも外方に延出する液透過性の延出部を有する補助吸収具を提供することにより、上記目的を達成したものである。
【０００５】
【発明の実施の形態】
以下、本発明をその好ましい実施形態に基づいて説明する。
本発明の第１実施形態の補助吸収具１は、図３に示すように、使い捨ておむつ１０の内表面Ｐ上に配されて、その使い捨ておむつ１０と共に着用される使い捨ての補助吸収具である。
第１実施形態の補助吸収具１は、図１及び２に示すように、液透過性の表面シート２、液不透過性の防漏シート３及び両シート２，３間に介在された液保持性の吸収体４を具備し、実質的に縦長に形成されている。
【０００６】
表面シート２、防漏シート３及び吸収体４は、それぞれ、縦長矩形状に形成されている。表面シート２及び防漏シート３は、それぞれ吸収体４よりも外形が大きく、吸収体４の周縁部よりも外方に延出した部分において、互いに貼り合わされて、吸収体４を挟持固定している。
補助吸収具１の長手方向の両側には、それぞれ、ギャザー形成用の弾性部材５が長手方向に伸張状態で配設されている。弾性部材５は、吸収体４の左右両側端縁４１，４１よりも左右外方において、表面シート２と防漏シート３との間に挟持固定されている。
【０００７】
而して、補助吸収具１は、長手方向の前後端部及び両側部それぞれに、防漏シート３の前後端縁３０ａ，３０ｂ又は左右側端縁３１，３１よりも外方に延出する液透過性の延出部６（６Ａ，６Ｂ，６Ｃ，６Ｃ）を有している。
第１実施形態の補助吸収具１における液透過性の延出部６は、表面シート２により形成されている。即ち、表面シート２は、長手方向の左右両側端縁２１，２１が防漏シート３の左右両側端縁３１，３１よりも外方に位置するように延出しており、表面シート２における防漏シート３の左右両側端縁３１，３１よりも延出した部分により、補助吸収具１の両側部に液透過性の延出部６Ｃ，６Ｃが形成されており、また、表面シート２における防漏シート３の前後端縁３０ａ，３０ｂよりも外方に延出した部分により、補助吸収具１の長手方向の前後端部に、液透過性の延出部６Ａ，６Ｂが形成されている。
【０００８】
長手方向両側部に形成された延出部６Ｃ，６Ｃの延出幅Ｗ１，Ｗ１（図１，２参照）は、補助吸収具１の全幅Ｗに対する割合が２〜２０％、特に３〜１４％であることが使い勝手及びコストの観点から好ましく、同様の観点から、前記延出幅Ｗ１，Ｗ１は、５〜５０ｍｍ、特に１０〜２０ｍｍであることが好ましい。
長手方向の前後端部に形成された延出部６Ａ，６Ｂの延出長さＬ１，Ｌ１は、それぞれ補助吸収具１の全長Ｌに対する割合が２〜２０％、特に２〜１０％であることが好ましく、延出長さＬ１，Ｌ１は、それぞれ５〜５０ｍｍ、特に１０〜２０ｍｍであることが好ましい。
【０００９】
液透過性の延出部６は、おむつの尿が滲み込んだ部分上に載置され、その上面に着用者の肌が位置した場合に、そのおむつの濡れた部分の感触を肌に伝えない性質である程好ましい。
斯かる観点から、液透過性の延出部６は、不織布からなることが好ましく、その不織布の坪量は１０〜３０ｇ／ｍ2 、特に１５〜２５ｇ／ｍ2 であることが好ましい。
液透過性の延出部６を不織布により形成する場合の不織布としては、各種製法の不織布を用いることができるが、中でも、エアースルー不織布、スパンボンド不織布、ヒートロール不織布、及びスパンボンド不織布（Ｓ）／メルトブローン不織布（Ｍ）のラミネート（ＳＭＳ、ＳＭ、ＳＭＭＳなど）不織布等が好ましい。
【００１０】
第１実施形態の補助吸収具１は、使い捨ておむつ１０の内表面Ｐ上に配されて、該使い捨ておむつ１０と共に着用される。
そして、おむつ着用者が排尿した場合、尿が使い捨ておむつ１０上に漏れ出していないときには、尿を吸収した補助吸収具１のみを、未使用の補助吸収具１に交換する。この場合の対処方法は、従来の補助吸収具と同じである。
【００１１】
しかし、排尿量が、補助吸収具の最大吸収量を超える等により、補助吸収具上から使い捨ておむつ上へと尿が漏れ出した場合、従来の補助吸収具の場合には、尿を吸収した補助吸収具のみを交換したのでは、漏れ出した尿を吸収した部分Ａが、おむつ着用者の肌に接触する。
これに対して、第１実施形態の補助吸収具１においては、尿が補助吸収具１上から使い捨ておむつ１０上に漏れ出す場合、その尿は、図４（ａ）に示すように、液透過性の延出部６を通過して漏れ出し、その漏れ出した尿は、使い捨ておむつ１０の前記延出部６の下方に位置する部分に吸収される。
そのため、補助吸収具１を、図４（ｂ）に示すように、未使用の同形態の補助吸収具１Ａに交換すると、おむつの尿を吸収した部分Ａが、新たに配置された補助吸収具１Ａの延出部６に覆われる。このため、使い捨ておむつ１０上に補助吸収具１から漏れ出した尿の量が少量である場合には、使い捨ておむつ１０自体を交換することなく、新しい補助吸収具１Ａに交換するだけで対処可能であり、おむつ着用者に、おむつの濡れた部分による不快感を与えることがない。
【００１２】
このように、第１実施形態の補助吸収具１によれば、複数枚を、順次交換して使用することにより、着用者の不快感を防止しつつ、使い捨ておむつの交換頻度を低減することができる。尚、補助吸収具１は、着用者の排尿部に、その中央部が当接するように配置することが好ましく、また、交換の前後で補助吸収具１の配置位置を変更しないことが好ましい。
【００１３】
また、第１実施形態の補助吸収具１においては、表面シート２により液透過性の延出部６が形成されているため、別部材により形成する場合の製造コストの増大や製造ラインの複雑化を抑制することができる。
【００１４】
第１実施形態の補助吸収具１における各部の寸法等は、上記所望の効果を得る観点から、以下の範囲内であることが好ましい。
・補助吸収具の幅Ｗ：１５０〜３００ｍｍ。
・補助吸収具の長さＬ：３００〜６００ｍｍ。
・補助吸収具の長さＬに対する幅Ｗの比（Ｗ／Ｌ）：０．２５〜０．８０。
【００１５】
次に、本発明の補助吸収具の他の実施形態について説明する。
第２及び第３実施形態の補助吸収具１’，１”は、それぞれ、液透過性の延出部６が、表面シート２ではなく、外層シート７及び立体ガード形成用のシート材８から形成されている点において第１実施形態と相違する。
以下、第１実施形態と異なる点について主として説明する。特に説明しない点については、第１実施形態の補助吸収具１と同様であり、第１実施形態に関して上述した説明が適宜適用される。
【００１６】
第２実施形態の補助吸収具１’においては、図５（ａ）に示すように、防漏シート３の吸収体４とは反対側の面側に、液透過性の外層シート７が配されており、該外層シート７は、その長手方向の左右両側端縁７１（一方のみ図示）が防漏シート３の左右両側端縁３１（一方のみ図示）よりも外方に位置するように延出しており、外層シート７における防漏シート３の左右両側端縁３１よりも延出した部分により、補助吸収具１の両側部に液透過性の延出部６Ｃ（一方のみ図示）が形成されており、また、外層シート７における防漏シート３の前後端縁よりも延出した部分により、補助吸収具１の長手方向の前後端部に、液透過性の延出部（図示せず）が形成されている。
【００１７】
第３実施形態の補助吸収具１”においては、図５（ｂ）に示すように、補助吸収具１”の長手方向の両側部に、それぞれ、立体ガード形成用のシート材８（一方のみ図示）が配されて立体ガード８０が形成されており、両立体ガード形成用のシート材８は、それぞれの外側の側端縁８１が防漏シート３の左右の側端縁３１よりも外方に位置するように延出している。
そして、両シート材８における防漏シート３の側端縁３１よりも延出した部分により、補助吸収具１”の長手方向の両側部に、液透過性の延出部６が形成されている。
【００１８】
第２及び第３実施形態の補助吸収具１’，１”は、第１実施形態の補助吸収具１と同様に使用することができ、両補助吸収具１’，１”によれば、長手方向の前後端部及び両側部、又は長手方向の両側部に、防漏シート３の端縁よりも外方に延出する液透過性の延出部６を有しているため、第１実施形態の補助吸収具１と同様の作用効果が奏し得られる。
【００１９】
第２実施形態の補助吸収具１’における外層シート７、及び第３実施形態の補助吸収具１”における立体ガード形成用のシート材８の形成材料としては、それぞれ、第１実施形態の表面シート２の形成材料と同様のものを用いることができる。
【００２０】
尚、第１〜３実施形態における表面シート２、防漏シート３、吸収体４、弾性部材５の形成材料としては、この種の補助吸収具や生理用ナプキン等に従来用いられているものを特に制限なく用いることができる。液透過性の延出部６は、不織布の他、紙、織布、編布、スポンジ等から形成することもできる。
【００２１】
本発明は、上述した第１〜３の実施形態に制限されない。例えば、弾性部材５は省略しても良く、液透過性の延出部６は、補助吸収具１の長手方向の両側部にのみ設けても良く、長手方向の前後端部の一方又は双方にのみ設けても良い。
また、液透過性の延出部６の延出幅Ｗ１及び延出長さＬ１は、補助吸収具の左右又は前後で異なっていても良い。
また、補助吸収具は、長さと幅が同じでも良く、この場合には、使い捨ておむつの長手方向（背側と腹側とを結ぶ方向）と同方向に配される向きを長手方向とする。
更に、各部の形状、寸法、形成材料等は、適宜に変更可能である。尚、補助吸収具と併用する使い捨ておむつは、補助吸収具を内表面に配置可能なものであれば、如何なる構成のものでも良い。
【００２２】
【発明の効果】
本発明の補助吸収具によれば、複数枚を、順次交換して使用することにより、着用者の不快感を防止しつつ、使い捨ておむつの交換頻度を低減することができる。
【図面の簡単な説明】
【図１】図１は、本発明の第１実施形態としての補助吸収具を一部破断して示す平面図である。
【図２】図２は、図１のＸ−Ｘ断面図である。
【図３】図３は、補助吸収具を使い捨ておむつの内表面上に配置する様子を示す斜視図である。
【図４】図４は、本発明に係る補助吸収具の作用効果を説明するための説明図である。
【図５】図５は、本発明の補助吸収具の第２及び第３実施形態を示す断面図（図２相当図）である。
【符号の説明】
１，１’，１”  補助吸収具
２    表面シート
３    裏面シート
４    吸収体
５    弾性部材
６，６Ａ〜６Ｃ  液透過性の延出部
７    外層シート
８    立体ガード形成用のシート材
１０  使い捨ておむつ
１２  おむつの表面シート
１３  おむつの裏面シート
１４  おむつの吸収体
【図１】
0004321951.tif 000002
【図２】
0004321951.tif 000003
【図３】
0004321951.tif 000004
【図４】
0004321951.tif 000005
【図５】
0004321951.tif 000006